(57)【要約】【課題】無線電力にアクセスするためのチャージ又は課金システムを提供する。【解決手段】電力プロバイダー及び課金方法と通信する電力を要求する機器が決定される。課金情報を提供するのに消費者は要求され、課金情報が既に既存のアカウントに関連している場合は、その消費者のアカウントは自動的に無線電力のためにチャージされる。アカウントは、無線電力が提供されるとき引き落とされる前払い式のチャージ時間分を含み、又は、提供される無線電力のためにアカウントが課金される。無線電力に関するチャージ／課金は提供される電力に関する値を受信するために使用され、その間、消費者はフレンドリーな状態のままでいられる。【選択図】図２
2015159720.tif 000002
【特許請求の範囲】
【請求項１】
電力供給される機器を識別する検出器と、
前記検出器に接続された課金用プロセッサであって、前記機器の識別子に基づき前記機器への送電を認可するように作動する当該課金用プロセッサと、
前記課金用プロセッサに接続された電力供給手段であって、前記課金用プロセッサによる送電の認可に基づき前記機器に無線で電力を提供するように作動する当該電力供給手段と、を備え
前記課金用プロセッサは、前記電力供給手段により前記機器に提供される電力をアカウントし、それに伴う補償の調整を行なうことを特徴とする前記無線チャージシステム。
【請求項２】
前記機器はチャージアカウントに関連し、前記補償は当該チャージアカウントからの支払いを含むことを特徴とする請求項１に記載の無線チャージシステム。
【請求項３】
使用量及び支払いデータを含む前記チャージアカウントに関連した情報を表示するためのウェブインタフェースを更に含む、請求項２に記載の無線チャージシステム。
【請求項４】
前記課金用プロセッサは、無線ネットワークを介して前記チャージアカウントを検証し、それはＷｉ-Ｆｉ又は携帯（セルラー）ネットワークを介して前記アカウントに関連する情報をチェックすることを含む、請求項２に記載の無線チャージシステム。
【請求項５】
誘導を通じた前記電力供給手段の表面で前記機器に対して前記電力を提供する、請求項１に記載の無線チャージシステム。
【請求項６】
椅子の肘掛け部に前記電力供給手段は配置され、前記機器が前記肘掛け部に隣接して置かれると前記機器がチャージされる、請求項１に記載の無線チャージシステム。
【請求項７】
無線チャージに関する課金用プロセッサによって実行されるプログラム命令をあらわすデータを記憶したコンピュータ読み取り可能な記憶媒体であって、
無線チャージのための要求を機器から受信すること、
前記機器及び当該機器に関連するアカウントを識別することであって、前記アカウントはチャージ値を含むこと、
無線電力を前記機器に提供すること、
前記無線電力が前記機器に提供されるとき、前記チャージ値を修正すること、
を実行させるためのプログラム命令を記録したコンピュータ読み取り可能な記憶媒体。
【請求項８】
前記チャージ値は、前記機器のオーナーが支払うべき前記無線電力の受領証に関する課金量を含む、請求項７に記載のコンピュータ読み取り可能な記憶媒体。
【請求項９】
前記チャージ値は、チャージの時間分又は電気量の少なくとも１つの前払い額を含む、請求項７に記載のコンピュータ読み取り可能な記憶媒体。
【請求項１０】
前記チャージ値を修正することは、前記前払い額を引き落とすことを含む、請求項９に記載のコンピュータ読み取り可能な記憶媒体。
【請求項１１】
前記チャージの前払い額が殆ど０になったとき、追加の支払いを要求することを更に含む、請求項１０に記載のコンピュータ読み取り可能な記憶媒体。
【請求項１２】
前記無線チャージのために要求された支払いレートを提供すること、
前記無線電力が前記機器に提供される前に、前記支払いレートに関する検証を要求することを更に含む、請求項７に記載のコンピュータ読み取り可能な記憶媒体。
【請求項１３】
前記機器の識別を照合することを更に含む、請求項７に記載のコンピュータ読み取り可能な記憶媒体。
【請求項１４】
前記機器の識別を照合することは、
ショートメッセージサービス（ＳＭＳ）テキストメッセージを、前記アカウントに関連する電話番号に送信すること、
確認用ＳＭＳテキストメッセージを受信すること、
を含む、請求項１３に記載のコンピュータ読み取り可能な記憶媒体。
【請求項１５】
前記ショートメッセージサービス（ＳＭＳ）テキストメッセージは、チャージする間は前記機器をロックするため、そしてチャージの後に前記機器をアンロックするために用いられる個人用識別番号（ＰＩＮ）を含む、請求項１４に記載のコンピュータ読み取り可能な記憶媒体。
【請求項１６】
前記機器の識別を照合することは、
ｅメイルメッセージを、前記アカウントに関連するアドレスに送信すること、
確認用メイルを受信すること、
を含む、請求項１３に記載のコンピュータ読み取り可能な記憶媒体。
【請求項１７】
前記機器に無線電力を提供することは、
主コイルを有するサーフェイスを含むロッカー内に前記機器を受け入れること、
前記主コイル及び副次コイル間のインダクタンスにより、前記機器の副次コイルの電流を誘導すること、
を含む、請求項１３に記載のコンピュータ読み取り可能な記憶媒体。
【請求項１８】
前記検証は前記ロッカーへのアクセスのために要求される、請求項１７に記載のコンピュータ読み取り可能な記憶媒体。
【請求項１９】
各消費者のチャージの時間分を含むアカウント情報を記憶する処理と、
消費者から無線チャージに関する要求を受信する処理と、
前記消費者の識別を照合し、前記消費者のチャージの時間分をチェックする処理と、
前記チャージの時間分が閾値を下回る場合、追加の支払いを要求する処理と、
前記チャージの時間分が閾値を上回る場合、無線電力を提供する処理と、
前記チャージの時間分を引き落とす処理と、を含む無線チャージを提供する方法。
【請求項２０】
前記無線電力が提供されるときに前記チャージの時間分が引き落とされる、請求項１９に記載の方法。
【請求項２１】
前記要求は暗号化されたアカウント情報であって、前記消費者の識別及び前記チャージの時間分を有する当該アカウント情報を含む、請求項１９に記載の方法。
【請求項２２】
前記消費者の識別及び前記チャージの時間分を復号化する処理と、
前記消費者へのメッセージをサブミットすることによって前記識別を照合する処理と、を更に含む請求項２１に記載の方法。
【請求項２３】
機器に無線で電力を提供する方法であって、
前記機器及び当該機器に関連するアカウントを識別する処理と、
前記機器に無線電力を提供するための支払いを認可する処理と、
前記無線電力を前記機器に提供する処理と、
前記無線電力の受領確認を受信する処理と、
を含む機器に無線で電力を提供する方法。
【請求項２４】
無線電力プロバイダーの範囲内で前記機器を検出する処理を更に含む、請求項２３に記載の方法。
【請求項２５】
前記受領確認は、前記機器を物理的に閉じ込めることを含む、請求項２３に記載の方法。
【請求項２６】
前記支払いを認可する処理は、
前記無線電力の支払いに関する費用についてやり取りすること、
前記費用の検証であって、前記支払いに関する費用の無線による肯定応答（ＡＣＫ）を有する当該検証を要求すること、
を含む、請求項２３に記載の方法。
【発明の詳細な説明】
【背景技術】
【０００１】
広範囲に利用できる電力のニーズが相当に且つ継続して増加してきている。特に、ラップトップコンピュータ、携帯電話、音楽プレーヤー、携帯情報端末（ＰＤＡ）、及び周期的に充電を要する他の電源内蔵式の再充電型リモートデバイスによる消費者及び無事ネットワークスエレクトロニクスの分野において顕著である。多くの公共の場所では、線をつなぐ電源用のコンセント（差し込み口）が必要となるので、一般大衆に対して電源は容易に利用可能でない。過去において、無断居住者は、利用可能なコンセントに自分らの機器をプラグインしてコンセントの所有者から電力を勝手に使用していた。機器が一層電力消費するようになってくると、コンセントの利用可能性や大電源の必要性がますます普通なってきたのである。これは、一人当りの機器数及び使用量により増大される。今は、電気自動車の充電は標準のコンセントが使用され、人々の電力供給ニーズに寄与している。定常される製品（電力）の損失補償を受けながら、コンセントのモニタリング及び電力使用コントロールは消費者に電力を公平に提供する必要がある。
【０００２】
本システム及び方法は、添付の図面及びその説明を参照することで一層理解されるであろう。図面とともに制限的及び限定的ではない実施例を記載する。図面内の構成要素は必ずしもスケール化されてはいなく、本発明の原理をあらわすという観点からむしろ強調されていたりする。図面中、同一の符合は別の図面全体における対応の部分を示している。
【図面の簡単な説明】
【０００３】
【図１】図１は、充電システムを示す。
【図２】図２は、別の充電システムを示す。
【図３】図３は、課金に関する通信ネットワークを示す。
【図４】図４は、課金及び支払いオプションを示す。
【図５】図５は、充電を提供する課金における相互作用を示す。
【図６】図６は、典型的なネットワークシステムを示す。
【図７】図７は、典型的な充電コンパートメントを示す。
【図８】図８は、典型的な記憶及び充電プロセスを示す。
【図９】図９は、充電に支払いに関する典型的なプロセスを示す。
【図１０】図１０は、無線チャージを提供する典型的なサーフェイスを示す。
【図１１】図１１は、無線電力接続を示す。
【図１２】図１２は、別の無線電力供給機器を示す。
【図１３】図１３は、電力供給プロセスを示す。
【図１４】図１４は、電力受信プロセスを示す。
【図１５】図１５は、無線電力の変換プロセスを示す。
【発明を実施するための形態】
【０００４】
電力アクセスを便利に行いたいという消費者のニーズを満足させるために、無線電力供給システムに対する興味が相当に且つ継続して増加してきている。無線電力供給システムは、従来の有線接続を超える様々な便利性をもたらす。中でも注目すべきは、様々な充電コードの必要性や、充電のために電子機器をプラグインしたりアンプラグに繰り返し行なうことを不要にし、これによりコストを削減し、使用の際の便利性容易性を向上させているということである。公に利用可能な無線チャージは、消費者にとって非常に便利で有用である。しかしながら、電力サプライヤー、例えば、公益事業体やスペースの所有者の一方、又は双方は、提供される電力の消費者にチャージしたり課金することを望むであろう。
【０００５】
開示する実施例は、無線電力に関して、例えば課金したり課金したりすることを自動的に計測化することに関係する。機器が要求する電力は電力サプライヤーとやり取りし、そして課金方法が決定される。課金／アカウント情報を提供するよう消費者に要求し、或いは課金／アカウント情報は既存のアカウントと以前に関連してきたか若しくは機器が要求する電力に関連している。これにより、消費者が無線電力について自動的に充電できることができるようにする。アカウントにはプリペイド（前払い方式）の割り当てによるものを含む。例えば、プリペイドで充電するチャージ時間分の割り当てが、無線電力が供給されるときに引き落とされる。配電の計測化は、消費者に近親感を残しながら、提供される電気的な充電又は電力の値を受信するよう提供されるようにするものである。
【０００６】
図１は無線チャージシステム１００を示す。無線チャージシステム１００は、電力供給システム１０２にアクセスする少なくとも一人の消費者１０４を含む。電力供給システム１０２は、支払いと引き換えに消費者１０４に対して無線電力を提供する。電力供給システム１０２が、パブリック又は制限付きパブリック空間の若しくは管理者などの機器プロバイダー１０６又は、電気公益事業体などの電力オーナー若しくは供給者１０８の少なくとも何れかによって提供され、維持され、コントロールされる。消費者１０４は、携帯電話又はラップトップコンピュータなどの機器を有し、それら機器にはオペレーションのための電力供給を要求したり再充電されなければならないバッテリーを含む。開示される実施例は、オペレーション時にオペレーティング電力パワーのデリバリーを要求する非バッテリー動作の機器に電力を供給するのに用いられることを認識されたい。この開示全体を通じて、「充電（チャージ）する」という用語は、例えば、機器の電力供給などバッテリーを充電すること以外の理由で電力を提供したりデリバリーすること、及びバッテリーを再充電するための電力を提供するために用いられている。電力供給システム１０２は、消費者１０４の機器にチャージする電力、そうでなければ機器を操作する電力を提供する。上述したように、電力すなわちエネルギーは、電気コンセント（差し込み口）から渡され、消費者の機器に対する末端に供給される電流（ＡＣ又はＤＣ）の形態である。
【０００７】
電力供給システム１０２は、消費者１０４に無線で電力を提供する。機器をチャージする消費者の機器で電流を発生する誘導を通じて電力を提供することができる。さらに、無線電力変換については、“POWER SUPPLY（電力供給）”という名称の同一出願人による米国特許出願Ｎｏ．２００８／０２３１２１１号公報に記載され、引用によりここに組み入れられる。
【０００８】
電力供給システム１０２は、電力オーナー１０８によって所有される場所に配置され得る。一実施例において、電力オーナーは、電力供給システム１０２を通じて電力を提供するインフラ基盤のオーナーといった電気サプライヤーであり得る。電力オーナー１０８は、消費者１０４に対して電力を提供する設備プロバイダー１０６を利用するだけでなく、その電力に関する支払いを受信することもする。設備プロバイダー１０６は、電力供給システム１０２がビルトインして製造される家具などの製造物の製造者である。例えば、空港の座席、飛行機の座席、机、公会堂、又はキオスク（売店）は、電力供給システム１０２を含むように製造される。電力オーナー１０８は他人に提供する電力費用を計上して回収することを望むので、電力を提供しその支払いを受けるというような方法で、電力供給システム１０２を有する設備プロバイダーからの設備を利用することを求める。設備プロバイダー１０６は、電力オーナー１０８の同意の下、電力供給システム１０２をコントロールし且つ維持したり、或いは、電力オーナー１０８が電力供給システム１０２をコントロールし且つ維持する。一実施例において、電力オーナー１０８は単一のエンティティとしての設備プロバイダー１０６を含む。
【０００９】
図２は代替充電システム２００を示す。代替充電システム２００は、充電されることが必要な、消費者１０４によって使用される機器２０６を含む。電力供給システム１０２は、電力供給設備２０２及び課金用プロセッサ２０４を含む。図１からの充電システム１００に存在するとおり、消費者１０４により所有されコントロールされる機器２０６はチャージ（充電）を要求する。機器２０６はバッテリーを備えた電気デバイスであり、バッテリーは再充電のためのパワー源を要求する。或いは又、機器２０６は、当該機器を直接的に電力供給する、というよりも更にバッテリーを充電するパワー源を要求する。機器２０６は形態電話、スマートフォン、ブラックベリー（登録商標）、個人携帯情報端末（ＰＤＡ）、ノートブック／ラップトップコンピュータ、ネットブック、（ビデオ／オーディオファイル、ブルーレイ、ＤＶＤ、ＣＤなどを再生する）携帯マルチメディアプレーヤー、ビデオゲームプレーヤー（例えば、ゲームボーイ（登録商標）、プレーステーション  ポータブル（登録商標））、ｍｐ３プレーヤー、ｉＰｏｄ（登録商標）、又はチャージやパワー源を用いる他の任意の機器を含む。
【００１０】
機器２０６は、電力供給システム１０２と相互作用するよう構成される。一実施例において、機器２０６は、電力供給システム１０２からの無線電力を受信するアダプターを備え、電力供給システム１０２はまた対応のアダプターを備える。電力供給システム１０２のアダプターは、有線の電力を受信するための標準の電気コンセントと接続し、電力はさらに機器２０６に無線で送信される。或いは又、多数の異なる機器に電力を提供する統一規格のアダプターがある。例えば、統一規格のアダプターは、無線で電力を受信すると、チャージを提供するにあたりそれぞれの機器に適合させる多重プラグを含むことができる。無線電力変換及びアダプターについては、“ADAPTER（アダプター）”という名称の米国特許出願Ｎｏ．２００４／０１５０９３４号公報に記載され、引用によりここに組み入れられる。消費者１０４は、公共の場所（例えば、空港、図書館、又はモール）などで、機器２０６を充電したり電力供給するするパワー源を求める。
【００１１】
電力供給システム１０２は、消費者の機器２０６を充電したり電力供給するためのパワーを提供するよう設計され、その一方で、提供される充電又は電力の支払いを受信する。課金エントリー２０８が、支払いを受信し処理するための課金用プロセッサと接合する。課金エントリー２０８は、電力サプライヤー２１０、電力オーナー１０８、設備プロバイダー１０６の何れかの一部若しくは別個である。支払いは１分あたりのチャージ価格であるか、機器に提供される実際の電力量に基づくことで配信されたワット時間であり、そして予め支払われるか、使用時に支払われる。電力供給システム１０２は、機器２０６に電力供給する電力供給設備２０２を含む。電力供給設備２０２は、有線又は無線で、（おそらくは電力オーナー１０８が所有する）特定の場所で、電力サプライヤー２１０が提供し消費者に売られる電力にアクセスするためのインタフェースを含む。電力サプライヤー２１０は、無線電力を提供するが、電力オーナー１０８は、電力が提供される場所のオーナーである。上述したように、電力オーナー１０８は電力サプライヤー２１０でもある。代替の実施例の場合、電力供給システム１０２は機器２０６を識別する検出器を更に含む。検出器は、電力供給設備２０２の一部であってもよいし、機器２０６及び消費者１０４の少なくとも何れかの識別を課金用プロセッサ２０４に提供する別個のコンポーネントであってもよい。
【００１２】
後述するように、電力供給設備２０２は機器２０６に対して無線電力を提供する。課金用プロセッサ２０４が消費者１０４又は機器２０６の少なくとも何れかより、或る形式の支払いに関する受領確認を受信した後で、無線電力は機器２０６に送信される。消費者１０４、消費者１０４の受領確認及び関連アカウント、又は支払いが行なわれたり受信された受領確認によって、料金の量の受領確認がある。消費者１０４は、課金用プロセッサ２０４に対して支払い情報を提供するが、課金用プロセッサ２０４は電力供給設備２０２の使用に関する課金エントリ２０８への料金支払いを提供する。無線電力供給のために提供されるこの料金又は支払いは、補償と呼ばれている。課金エントリ２０８は、設備プロバイダー１０６、電力サプライヤー２１０、電力オーナー１０８の少なくとも１つによって可能でありコントロールされるサービスである。一実施例において、電力オーナー１０８は１階の支払いで設備プロバイダー１０６から電力供給設備２０２を購入し、そして設備プロバイダー１０６は電力供給設備２０２の使用にあたり追加の料金支払いを受信しない。或いはまた、課金エントリ２０８は、設備プロバイダー１０６、電力サプライヤー２１０、電力オーナー１０８に受信される料金を提供する。
【００１３】
一実施例において、電力供給システム１０２は、キオスク又は消費者がアクセス可能な他の機器である。電力オーナー１０８は、ショッピングモール、空港、ホテル、遊技公園、他のロケーションなど、キオスクが配置される場所である。キオスクは、課金エントリ２０８によって操作され、この課金エントリはキオスクより電力を受信する消費者からの支払いを収集する。設備プロバイダー１０６は電力オーナー１０８のロケーションで配置を可能にするキオスクの製造者である。電力サプライヤー２１０は電力オーナー１０８であるか、或いは電力オーナー１０８に電気を提供する電気会社などの公共企業である。電力サプライヤー２１０及び電力オーナー１０８は同一エンティティであるとして後述されるであろう。別の実施例において、一連の無線電力ステーション（基地）が一つの領域を無線電力で覆うよう確立される。例えば、ショッピングモールの食料コートエリアは複数の電力ステーションを含む、そのフードコートで機器をもつ誰もが無線電力にアクセスするであろう。
【００１４】
図３は、課金に関する通信ネットワークを示す。課金用プロセッサ２０４は、機器２０６をチャージする課金に関し、消費者１０４、設備プロバイダー１０６、電力オーナー１０８の少なくとも何れかと通信する。消費者１０４（又は消費者の機器２０６）、設備プロバイダー１０６、電力オーナー１０８は、ネットワーク３０２を介して課金用プロセッサ２０４に接続される。ネットワーク３０２は、データ通信を可能にする任意のコンポーネント（構成要素）を接続し、有線ネットワーク、無線ネットワーク、又はその組み合わせを含でいる。無線ネットワークは、携帯電話ネットワーク、ＩＥＥＥ（電気電子技術者協会）又はＷｉＭａｘによって発行された802.11、802.16、802.20などの標準プロトコルに従って動作するネットワークである。さらにネットワーク３０２は、インターネット、イントラなどのプライベートネットワーク、又はその組み合わせといったパブリックネットワークであり、これに限定するわけではないがＴＣＰ/ＩＰベースのネットワーキングプロトコルを含む、現在利用可能な又は後に開発される様々なネットワーキングプロトコルを利用し得る。ネットワークは、ローカルエリアネットワーク（ＬＡＮ）、ワイドエリアネットワーク（ＷＡＮ）、ユニバーサル・シリアル・バス（ＵＳＢ）ポートなどを介したダイレクト接続の１以上を含み、インターネットを形成する相互接続されたネットワークの組を含む。ネットワーク３０２は任意の通信方法を含み、そして１つの機器からの情報又は別の機器へのエントリと通信する任意形式の機械読取り可能な記憶媒体を用いる。例えば、消費者１０４はネットワーク３０２を介して課金用プロセッサ２０４に支払いを提出する。課金用プロセッサ２０４は、クレジット／デビット／ＡＴＭカードの認証ネットワークなど、支払いを提出するための追加的ネットワークと接続されている。
【００１５】
また、支払い／アカウント情報３０４は、ネットワーク３０２上でアクセスされうる。例えば、消費者１０４は、或る期間にわたって使用される充電の時間又は実際の使用量をモニタリングするため、アカウント情報３０４をアクセスすることができる。また、支払い及び／又はアカウント情報３０４は、設備プロバイダー１０６及び／又は電力オーナー１０８によってアクセス可能な消費者１０４についての情報を含む。例えば、支払い及び／又はアカウント情報３０４は、消費者層、所有機器、支払い処理データ、クレジットカード或いは他のアカウント情報、電話番号、又は消費者１０４及び／又は機器２０６に関係する他の情報を含む。支払い及び／又はアカウント情報３０４は、トランザクションを完了するための課金用プロセッサによって使用され、その場合、消費者１０４は支払いを提供し且つ彼らの機器２０６に関するパワー源に対するアクセスを受信する。支払い及び／又はアカウント情報３０４は、利用可能なチャージ量をあらわすアカウントを含む。例えば、消費者はチャージの或る数分間分を前払いし、アカウントはその数分間分を含み、機器がチャージされるので減少するだろう。追加の数分が購入され、アカウントに加えられる。或いは、アカウントはチャージ量をトラックし、消費者はその量のために課金されるだろう。購入した数分すなわち時間は課金時間又はチャージ時間として参照され、分とは異なる時間単位でありうる。
【００１６】
消費者１０４の支払い及び／又はアカウント情報３０４、設備プロバイダー１０６、及び／又は電力オーナー１０８を保持するためのウェブサイトを確立する。そのウェブサイトは課金用プロセッサに関するインタフェースを提供し、これを通じて消費者１０４はチャージアカウントを確立しモニタリングする。電力オーナー１０８は、任意に与えられた電力供給設備にアクセスし支払いをする消費者の数をモニタリングする。或いはまた、消費者が電話を介して又は確認用のＳＭＳテキストメッセージの使用を通じてアクセスすることを許可するために双方向音声応答システムを使用する。
【００１７】
図４は、消費者１０４にとっての課金及び支払いオプションを示す。特に、課金用プロセッサ２０４は消費者１０４にとって多様な支払いタイプ４０２を提供し、電力供給システム１０２からのチャージング又は電力供給へのアクセスを購入できるようにする。アカウント番号４０４は、各消費者１０４及び／又は各機器２０６のために確立される。アカウント番号４０４は、前払いであってもなくても残高に関係する。例えば、消費者１０４はアカウント番号４０４に対するチャージの時間を購入する。チャージ時間は機器２０６が充電される時間をあらわす。例えば、消費者１０４は１０ドルで１時間分のチャージ時間を購入するとする。この場合、消費者１０４がアカウント番号４０４に４０ドルを追加するならば、消費者１０４は４時間分のチャージ時間を有するだろう。したがって、各消費者は、チャージ時間量に基づいて差し引かれるだろう前払いのアカウントをあらわすアカウント番号４０４を有する。或いはまた、チャージされる機器の必要性に基づいて変わるチャージ量を購入する。チャージ時間は時間パッケージとして又は利用時払い経費として機器のために販売される。チャージ時間はインターネットを介したソフトウェアパッケージ及びソフトウェア認証によりモニタリングされる。
【００１８】
支払い及び／又はアカウント情報３０４に関して上述したように、アカウント番号４０４に関連したアカウントは、ウェブサイトからアクセスされる。特に中心ウェブサイトは、電気及びサービスチャージに関する支払いの収集を管理する。ウェブサイトは、消費者１０４がアカウントの値を補充することができるようにするインタフェースである。例えば、消費者１０４は彼らのアカウントオンラインにアクセスし、１０ドル又は１時間のチャージタイムをアカウントに追加する。資金の追加はアカウントをチェックしたりセーブするアカウント、クレジットカード、デビットカード、ＡＴＭカード、オンライン支払いサービス（例えば、Paypal（登録商標））、又は他の資金方法など、資金アカウントからのものであってよい。一実施例において、アカウントは資金アカウントの一つにリンクされ、その結果、アカウント値が使い果たされるとき、又は１０ドルといったある閾値より低く落ち込んだときには、アカウント残高は自動的に再ロードされる。さらに、電力オーナー１０８及び設備プロバイダー１０６の少なくとも何れかはウェブサイトにアクセスし、電力使用量及び支払い情報を含む電力供給システムに対するアクセスをモニタリングすることもできる。後述するように、消費者の機器は電力供給システムによって認識され、関連するアカウント番号４０４は、機器がチャージされる電力又は時間量について識別され且つ差し引かれる。
【００１９】
各消費者についてのアカウント番号４０４にくわえ、課金用プロセッサ２０４は、アカウントをセットアップしないが、依然として無線電力にアクセスすることを望む消費者のためのカードスキャン４０６により、クレジットカード、デビットカード、ギフトカードを処理する。消費者１０４はチャージの支払いをするカードを提供することによって電力供給システム１０２での支払いができる。その支払いは（例えば、１時間で１０ドルなど）前払いされたり、充電が完了したあとでもよい。消費者は機器がチャージされる時間に基づいて支払いをする。アカウントは機器上で購入された時間をダウンロードすることを含む。例えば、携帯電話のユーザは携帯ネットワーク上で追加の時間（分）を購入し、その時間は機器上で記憶され（又はエンコード）される。同様に、ラップトップがＷｉＦｉ又は他のコネクション上で或る時間をダウンロードする。そして機器が充電するとき、その時間は差し引かれる。電力供給システム１０２はチャージのためのキャッシュ４０８を支払ったり、消費者若しくは機器のために追加の時間を購入するためのキャッシュを支払ったりする硬貨又は紙幣のスロットを含む。
【００２０】
消費者の電話番号４１０は支払いのためにも使用される。一実施例において、電話番号４１０は消費者のアカウント番号４０４に関連したり、又はアカウント番号４０４であったりする。電話番号４１０は、一つの支払いの形式として携帯電話時間４１２に請求するために用いられる。例えば、携帯電話のチャージは、携帯電話時間４１２で、又は購入したアカウント番号４０４に関連した他の時間にあわせて支払われる。携帯電話プロバイダーは、消費者が携帯電話のチャージの時間分４１２を失う補償プランに同意する設備プロバイダー１０６及び／又は電力オーナー１０８に関連し、携帯電話プロバイダーは充電のために消費したチャージの時間分に基づき設備プロバイダー１０６及び／又は電力オーナー１０８に支払う。このチャージは、携帯番号４１０を通じて、又は携帯サービス、Bluetooth、Wi-Fi、NFC、或いは他の任意の無線リンクを通じて登録され且つ計量化される。チャージ時間が購入され、あなたの電話番号４１０又はアカウント４０４にチャージされ、そして時間を使ってしまうたびに減少される。
【００２１】
支払いのためにｅメイル又はショートメッセージサービス（ＳＭＳ）メッセージ４１４も用いられる。例えば、消費者はＳＭＳのためにｅメイル又は電話番号の一方を提供し、課金用プロセッサは、ｅメイル又はテキスト（ＳＭＳ）メッセージによるコードを提出する（サブミットする）ことによって消費者の識別を確認する。次に、無線チャージにアクセスするためにコードを用いる。したがって、ｅメイル又はＳＭＳはユーザ及び支払い認証の少なくとも何れかのために用いられる。ｅメイル及び／又はテキストメッセージは後述するＰＩＮ４１６を含む。或いはまた、消費者は認証のためのｅメイル又はＳＭＳメッセージに対して肯定的に返答することが必要である。
【００２２】
個人識別番号（ＰＩＮ）４１６は、電力供給システム１０２で機器２０６を安全のままにしておくのに用いられる。ＰＩＮ４１６は機器２０６をそのままの状態にして入力されるコードであり、機器２０６の検索のために入力されなければならない。例えば、電力供給システム１０２は個々のロッカー又は機器の安全を図る他の機構の番号を含み、それら機器を別々に充電する。支払い（又はアカウント番号４０４や電話番号４１０）の受け取りがあり次第、消費者はＰＩＮ４１６を入力し、機器はロッカーに保管される。機器を検索するため、消費者はＰＩＮ４１６を入力する。これについては図８に関連して述べる。
【００２３】
図５は、充電を提供する課金の相互作用を示す。特に、図５は機器オーナー若しくは消費者１０４、設備プロバイダー１０６、インフラ基盤若しくは電力オーナーの少なくとも何れかの間における更なる課金オプションを示す。消費者１０４は設備プロバイダー１０６から無線チャージアクセスポイントにアクセスし、無線チャージで提供される電力の支払いを電力オーナー１０８にする。消費者１０４はキャッシュエントリー課金のチャージ時間分、ＡＴＭ／クレジット カード課金のチャージ時間分、携帯電話課金のチャージ時間分、インターネット暗号化電気のチャージ時間分、Wi-Fi課金のチャージ時間分の少なくとも何れかを用いる。消費者１０４は、これらのメカニズムのどれかで課金チャージ時間分を購入できるというアカウントを持っている。課金チャージ時間分は消費者１０４及び／又は特定機器に関連する。課金チャージ時間分はチャージ時間又はチャージのために提供されるパワー／電気の量をあらわす。
【００２４】
設備プロバイダー１０６は、キャッシュの受け取りのためにキャッシュ収集及び追跡すること、クレジット カード若しくは他のカード支払いのためのクレジットカード処理、又は消費者の携帯電話課金に対するチャージ時間を課金する携帯電話インタフェースを含む。チャージ時間は携帯電話のチャージ時間分の差し引きを結果として生じさせたり、携帯電話課金で追加のチャージを含む。このような実施例の場合、設備プロバイダー１０６はVerizon（登録商標）のような携帯電話会社である。Verizon（登録商標）は無線電力供給システムを提供し、そこではVerizon（登録商標）ユーザは携帯電話課金の追加課金で自分らの携帯電話をチャージする。或いはまた、携帯電話ユーザは、携帯電話にダウンロードされ電話チャージごとに差し引かれる課金チャージ時間分を購入する。ウェブサイト又は他のソフトウェアインタフェースは、上述したような消費者課金チャージ時間分のアクセス及び追跡のために用いられる。さらに、消費者の課金チャージ時間分の状況を識別するのにｅメイル通知を用いる。
【００２５】
電力オーナー１０８は、電力の使用のキャッシュ収集及び追跡を提供することも行なう。電力オーナー１０８により提供される電力は、ウェブサイト又は他のソフトウェアインタフェースを通じて電力を提供するために受信する支払いと共にモニタリングされる。電力オーナー１０８は、提供される電力のコストと比較し、各ロケーションのために受信される支払いをモニタする。したがって、電力オーナー１０８は、電力供給システムの使用を最大にする異なるロケーションをターゲットとする。
【００２６】
暗号及び復号化システムが機器での課金チャージ時間分をエンコードし、そしてソース源により提供されるコードを用いながらチャージ時間分を認証して減少するのに使用される。ソース源もウェブ又は携帯電話アクセスを用いて認証し同期されることができる。（ローリングコードであり得る）セキュリティコード、ユーザＩＤ、及びチャージ時間分は、インターネットを用いてソース源により追跡され認証される。これは、インフラ基盤の導入を駆り立てるビジネス構造に影響されながら、支払いの正規の変換を正規の電力オーナー及び設備プロバイダーに提供するために用いられる。
【００２７】
図２に戻って参照すると、電力供給設備２０２は支払いを受信し認証するための課金用プロセッサ２０４と接続する。或いはまた、電力供給設備２０２は機器２０６及び消費者１０４の少なくとも何れかを自動的に認識し、消費者１０４は自動的に課金される。消費者のアカウントは、チャージの時間に基づき自動的に引き落とされる。一例において、或る席のアームレスト（肘掛け）が無線チャージのために装着されており、このアームレスト上に機器が配置されていれば、電力供給が支払いを要求しないのであれば、機器は自動的にチャージを開始する。図４に関して、多様な支払いタイプを示したが、自動支払いとして別の代替方法も含んでいる。電力供給設備２０２はチャージされる機器を識別する。その識別は、２００９年１月６日に出願された「WIRELESS CHARGING SYSTEM WITH DEVICE POWER COMPLIANCE」というタイトルの米国特許出願Ｎｏ．  /  ,  （代理人整理番号ＷＮ３２１４）、及び「INDUCTIVE POWER SUPPLY WITH DEVICE IDENTIFICATION」というタイトルの米国特許出願Ｎｏ．2008/0157603に記載された通信を用いる。また、上記両出願は、引用によってここに組み入れられるものとする。
【００２８】
機器の識別に基づき、機器に関連する消費者及び／又はアカウントは、課金のために識別される。例えば、機器が識別されると、機器に関連するアカウント番号は、チャージが完了した後で、チャージのために消費した時間を自動的に引き落とす。機器が携帯電話であれば、機器を識別する無線チャージヤーで処理されるときに、電話のチャージ時間分が自動的に引き落とされる。
【００２９】
無線チャージの自動的な課金又は引き落としは、無線ネットワーク上でコントロールされる。携帯電話の例でいうと、無線ネットワークは携帯ネットワークである。Bluetooth、Wi-Fi、近距離無線通信（ＮＦＣ）などの他のプロトコル技術は、充電システムを課金用のアカウント情報に接続するために用いられる。図６は、典型的なネットワークシステムを示す。特に、機器オーナー１０４、設備プロバイダー１０６、及び電力オーナー１０８は、インターネット６０２にそれぞれ接続される。インターネット３０２との接続は、各電力オーナー１０８及び／又は設備プロバイダー１０６に関する設備による使用を追跡するウェブサイトを含む。また、ウェブサイトは各機器オーナー１０４の機器による使用も追跡する。さらに、インターネットは、機器２０６を識別すること、及び、当該機器に関連する適切なアカウントを課金／差し引くことのために使用される。電話インタフェース６０４は、携帯電話機器に関連した無線ネットワークである。電話インタフェース６０４は、携帯電話からチャージ時間分を課金するための機器２０６オーナー１０４により用いられる。インターネット６０２又は電話インタフェース６０４は、チャージに関する自動課金のために用いられる。チャージが開始すると、関連機器２０６情報はネットワーク上で渡され、これに応じて消費者アカウント情報が受信される。チャージが完了すると、消費者のアカウント情報はチャージに関する課金量を反映するために更新される。
【００３０】
ここに記載した充電システムは無線であるが、全体を通して記載した課金技術は有線の場合にも用いられる。特に、無線通信とともに、ケーブル又はコード式通信は、必要とされる情報を変換するために用いられ、追跡、認証及び課金が行なわれる。電力供給は、無線で伝送するパワーに依存するというよりは、機器と接続するコードを含む。
【００３１】
図７は、典型的な充電コンパートメント、すなわちロッカー７０２を示す。図７に示すとおり、無線チャージング機器のための各コンパートメントである一連のロッカー７０２がある。ロッカー７０２は引き出しであり、チャージする機器配置のために開講が揺れるドア部を有している。ロッカー７０２はインタフェースと接続し、そこでは、消費者は無線チャージの支払いを提供する。インタフェースは、キーパッド、タッチスクリーン、カードスキャナー、又はキャッシュレシーバを含む。消費者は、ロッカー７０２の一つにアクセスする目的で、キャッシュ、カード（クレジット、デビット、又はギフト）、アカウント番号、電話番号などの支払い形式を提供する。一実施例において、ロッカーの一つに配置された機器を検索するのにＰＩＮ４１６を使用する。ＰＩＮ４１６は４桁の数字などで機器をロッカーから引き出す際に消費者から入力されるものである。或いはまた、ＰＩＮ４１６はアカウント番号４０４若しくは電話願号４１０である。
【００３２】
キオスクや他の公共のアクセス可能な場所にロッカー７０２が配置される。例えば、ショッピングモール、地下鉄の駅、クルーズ船、空港などの高トラフィックな公共エリアは、その消費者にとっての無線電力供給システムを提供するのである。消費者の無線電話がチャージを必要とする場合、消費者は当該電話を無線でチャージするために一定時間、ロッカーの一つを利用し、その一定時間の後電話を持ち上げて返す。ロッカー又はコンパートメントは、１つのロッカーからのフィールドが別のロッカーにある機器２０６に影響を及ぼすのを避けるためシールドされる。上述したように、ロッカー７０２はチャージしながら「ロック」し、そして機器をアンロックするためのキーを要求する。別の一実施例において、機器をロックせずＰＩＮ４１６を要求しないロッカー７０２がある。消費者はロッカーの一つに機器２０６を一時的に置いたままにし、そして一時チャージを得るためにロッカーの近くにステイする。店や仕事によって無線電力供給システムが無料である場合、ロッカー７０２のロックが要求されない。
【００３３】
図８は、典型的な記憶及び充電プロセスを示す。ブロック８０２で、消費者は機器を充電するために電力供給システム１０２へのアクセスを要求する。そのアクセスは、ロッカー７０２の一つをオープンにすること若しくは支払いタイプ４０２の一つに従い、支払いを入力することを含む。上述したように、支払いは多様な支払いタイプ４０２を通じてなされ、インタフェースを通じて提出（サブミット）される。ブロック８０６で、支払いは支払いタイプに応じて検証される。例えば、アカウント番号について、アカウントに関連したクレジットの量が決定され、そして消費者は利用できるチャージの時間長さを知らされる。アカウントが充分なクレジットを持っていないならば、消費者はより多くの金をアカウントに追加することを通知される。ブロック808で、機器はチャージのためにストアされる。無線チャージ機器２０６のための個々のコンパートメントとしてロッカー７０２を用いる。ブロック８１０で、所有者以外の誰かが機器にアクセスすることを回避するために機器をロックする。代替の実施例では、消費者が機器近くに存在するときには機器をロックする必要性はない。しかし、様々なパブリック環境において、消費者は全チャージ時間のあいだ、機器の近くに居ることを望んではいないかもしれない。ブロック８１０で、ＰＩＮ４１６、アカウント番号４０４、電話番号４１０の少なくとも何れかというような様々に使用されるロッキングコードがある。これらアクセスコードの一つのエントリにより、消費者がチャージング機器を検索できる。
【００３４】
図９は、チャージの支払いに関する典型的なプロセスを示す。ブロック９０２で、電力供給システム１０２はチャージを要求する消費者を待つ。ブロック９０４で、消費者が準備完了になると、消費者は支払いを入力し、その支払いを認証する（ブロック９０６）。ブロック９０２で消費者が準備完了でない場合、システムは支払いを待つ（ブロック９０８）。ブロック９０６で支払いが認証されるとき、システムは、ブロック９１０で支払いが行われたかどうかをみるためにチェックし、そして支払いが行われていない場合、ブロック９１２でシステムは、消費者が準備完了であるか及び支払いが認証されているかを待つ。ブロック９１０で支払いが行われている場合、機器のチャージのためのドアが開かれる（ブロック９１４）。また、購入の証明である支払いの受領書も印刷される。この受領書は機器をアクセスするＰＩＮ４０４などのコードを含む。ブロック９１６で、ドアが開かれ、そしてシステムはドアが閉じられることを待つ（ブロック９１８）。ドアが閉じられるとき（ブロック９１６）、システムはコードをチェックする（ブロック９２０）。ブロック９２０でコードが入力されるまで、ブロック９２２の間、チャージされる機器に対して無線で電力を加える。コードが入力されるとき（ブロック９２０）、ドアは開かれそしてチャージがストップする（ブロック９２４）。
【００３５】
図２に戻ってみると、電力供給システム２０２は無線電力を機器２０６に提供する。図１０は、無線チャージを提供する典型的なサーフェイスを示す。電力供給システム２０２は、パワーサプライ１００６に接続された主コイル１００４に隣接するサーフェイス１００２とともに、無線チャージャー１００１を含む。パワーサプライ１００６は、主コイル１００４に電流を提供し、磁場を生成する。機器がサーフェイス上又は近傍に配置されるとき、主コイル１００４からの機器内にある副次コイルにチャージが含まれる。無線チャージャー１００１は、図７に示すロッカー７０２のそれぞれに配置される。代替の実施例において、単一の無線チャージャー１００１がマルチ機器をチャージする。電力供給設備２０２は、マルチ機器をチャージする単一の巨大な無線チャージャー１００１を含む。無線チャージャー１００１は、公会堂の座席、空港の座席、電車の座席、飛行機の座席、折り畳みテーブル、レストランテーブルに配置され、無線チャージを提供する。特に、無線チャージャー１００１は、座席のアームレスト（肘掛け部分）の中に配置され、その結果、機器は無線チャージのためにアームレスト面上又はその近傍に配置される。或いはまた、デスクトップ、ワークサーフェース、テーブルなどの他のサーフェイスもまた無線チャージャー１００１とともに装備される。
【００３６】
図１１は、無線電力接続を示す。電力サプライヤーからの電力が入力し（１１０２）、そして１１０４によってＤＣに整流する。電力供給１１０６により、１１０１により選択されたとき、可変の電力供給は要求されたＤＣ電圧を変更できるようにする。この情報は無線電力リンク１１１２を通じて機器２０６から渡される。機器２０６内の１１１２に隣接するキャパシターは、設計上の考慮に基づきオプションである。機器の制限、チャージ、又は電力は、機器２０６が詳しい通信を許可するようにコントロールすることによってロード１１２８を変更する単純な制御を用いて、機器２０６から電力供給設備２０２へ変換される。本制御は機器内に配置されたマイクロプロセッサであり、１１２６を用いて使いのロードを切り替えたり電圧レベルを変化させることができ、コントロール１１１０に情報を送信する。或いはまた、コントロール１１１０は、コンバータ１１０６を用いて電圧をインバータ１１０８に変更しながら信号を変えて無線電力リンク１１１２を介して送信する。１１２２又は１１２４での機器２０６マイクロプロセッサコントロールに対する電圧又は周波数入力は、この情報がデコードされるようにする。無線電力の変更は、さらに「SYSTEM AND METHOD FOR INDUCTIVELY CHARGING A BATTERY」というタイトルの米国特許出願Ｎｏ．2008/0079392、及び「INDUCTIVE POWER SUPPLY, REMOTE DEVICE POWERED BY INDUCTIVE POWER SUPPLY AND METHOD FOR OPERSTING SAME」というタイトルの米国特許出願Ｎｏ．2007/0042729に記載されている。また、上記両出願は、引用によってここに組み入れられるものとする。
【００３７】
図１１は、機器２０６と誘導的に接続された電力供給設備２０２を示す。一実施例において、機器２０６は無線チャージャー１００１を含む。により誘導的にチャージされる。電力供給設備２０２は、図１０に関連して記載された無線チャージャー１００１を含む。電力供給設備２０２は、電力の主入力１１０２を受信する。電力は電力オーナー１０８により支払われる。この主入力は、ＤＣ/ＤＣコンバータ１１０６及びインバータ１１０８を通じて先に進む前に整流される（１１０４）。コントロール１１１０は入って来る」電力を制御し、主コイル１１１２を調節する。図２に関して上述したように、課金用プロセッサ２０４は電力供給設備２０２から分離した構成要素である。或いはまた、電力供給設備２０２は消費者から支払いを受信するための支払いインタフェース１１１４を含む。電力供給設備２０２は、さらに、携帯ネットワークと接続する電話インタフェース１１１６を含む。電話インタフェース１１１６は、携帯電話機器のチャージをする消費者の分を引き落とす。ディスプレイ１１１８は、現在のコストとともにチャージの経過時間を消費者に表示する。追加の機器及び／又はアカウント情報を消費者のディスプレイ１１１８に示す。プリンター１１２０は、チャージ機器を検索するためのコード（例えば、ＰＩＮ）を印刷したり、及び／又は課金支払いの領収書を印刷する。
【００３８】
機器２０６は主コイル１１１２に隣接して又は近傍に配置された副次コイル１１２２を含み、整流器１１２４及びＤＣ/ＤＣコンバータ１１２６を通じて渡される電流を発生させる。電力供給設備２０２と機器２０６との間の無線誘導変換は、電力供給設備２０２によってチャージされるロード１１２８を供給する。図７のロッカー７０２に関係して上述したように、電子セキュリティロック１１３０は機器２０６の安全を図り、機器の所有者以外の者のアクセスを阻止する。電子セキュリティロック１１３０は、コード、ＰＩＮ、機器２０６にアクセスする他の識別物を要求する。
【００３９】
図１２は、別の無線電力供給機器２０２を示す。この電力供給機器２０２内のコンポーネント（構成要素）は、図１１に示した電力ユニットに類似する。機器２０２は１つのコントローラ１２０６により４つの無線電力機器に電力供給するコントロールを含む。このシステムは、システム速度が許容するときにはドライブコントロール１２０８を付け加えたり、又は要求に応じて並列システムを追加することによって、インストールで要求されるときと同じ数のユニットで容易にスケール化することできる。主入力１２０２が受信されると、整流器１２０４を通じて渡される。コントロールユーザインタフェース１２０６は、コイルLp1，Lp2，Lp3及びLp4によって提供されるチャージをモニタリング/コントロールする。各コイルはそのコイルを介して電流を渡す個々のドライブコントロール１２０８と結合される。図１２に示す電力供給機器２０２は、複数のコイルで複数の機器を同時にチャージするよう構成される。コントローラ１２０６は、ドライブコントロール１２０８のそれぞれをモニタすることを多重化する。コイルLpｘに対するドライブコントロールは、処理要求を共有する目的で、ドライブコントロール１２０８それぞれによって処理される。コントローラ１２０６は、各コントロール１２０８の通信及び基本的電力パラメータを保持しながら、コントローラ１２０６はコイルLp1-Lp4のそれぞれをコントロールする。
【００４０】
図１３は、電力供給プロセスを示す。図１３に示すプロセスは、電力供給システム102により実行される。ブロック１３０２で機器が存在するかをシステムはチェックする。機器は、機械式若しくは電気式センサを用いて、又はＲＦＩＤチップの使用を通じて検出される。機器が存在しない場合、システムはスタンバイモードにいる（ブロック１３０４）。次に、システムはブロック１３０６で低電力スタンバイにいるか否かを決定する。低電力スタンバイにいるとき、システムは変更に向けてオフサイクルをスタンバイで待つ（ブロック１３０８）。ブロック１３０６で低電力スタンバイにいないとき、又はブロック１３０２で機器２０６が存在しないとき、システムは起動され識別子が読み出される（ブロック１３１０）。識別子は機器及び／又は機器オーナーを識別する。ブロック１３１２で、課金要求が機器に提出されると、システムはこの課金要求に応じて機器を待つ。ブロック１３１４で、課金データを処理し暗号化するように進めるために、システムは機器を待ち課金要求を是認する。ブロック１３１６で、課金有効性が判断される。課金が有効でない場合、機器は課金に問題があることを通知される（ブロック１３１８）。一実施例において、消費者がチャージをすることができる前に、要求される最小閾値の時間分がある。例えば、１０チャージ分より少ない消費者であれば、その消費者はユーザにフィードバックされる部分として追加支払いをすることを要求される（ブロック１３１８）。ブロック１３１６で、課金が有効である場合、電力が機器に供給され、時間及び／又はエネルギーが追跡される（ブロック１３２０）。課金はチャージされる時間量に基づいたり、提供されるエネルギーの量に基づく。ブロック１３２２で機器が存在するのと同じ長さだけ、エネルギーは機器に供給され、そして時間及び／又はエネルギーが追跡される（ブロック１３２０）。ブロック１３２２で機器が取り除かれるとき、課金データは復号化されて機器オーナーにチャージ/課金する。一実施例において、時間及び／又はエネルギーは各時間分ごとというような時間のセットユニットによって追跡される。各時間間隔の後で、機器はチャージの別の時間ユニットのために認証を送る。これに応じて、機器は当該機器のＩＤを証明し認証要求を有効にする必要がある。
【００４１】
図１４は、電力受信プロセスを示す。図１４に示すプロセスは、機器２０６及び消費者１０４又は機器オーナーによって実行される。ブロック１４０２で、機器は無線チャージのホットスポットに位置されているか否かを決定する。ブロック１４０４で、機器は無線チャージのための識別されるべきホットスポットを待つ。ブロック１４０６で、機器がホットスポット近くに位置されるとき、機器が起動され、機器の識別子がホットスポットに提供される。ホットスポットは電力供給システム１０２を含む。ブロック１４０８で、無線電力プロバイダーが無料であるか又は料金を要求するのかの決定が機器によってなされる。電力が無料であるとき、チャージデータがプロバイダーに送信され、機器はそのチャージを管理する（ブロック１４１０）。チャージが料金を要求する場合、コストが表示される（ブロック１４１２）。ブロック１４１４で、消費者及び機器が承認される。ブロック１４１４で消費者及び／又は機器が承認されない場合、課金情報の問題に関してフィードバックが消費者１０になされる（ブロック１４１６）。消費者が承認される場合、暗号化されたアカウントデータがチャージプロバイダーに送られる（ブロック１４１８）。消費者はチャージに必要なコスト及び時間を確かめる（ブロック１４２０）。ブロック１４２０で、機器がチャージされ、時間及び／又はエネルギーが課金のために追跡される。
【００４２】
ハイブリッド車両及び電気自動車は普通のなってきており、車を駆動するバッテリーへのチャージを提供することができることは一層重要になっている。車両は上述した機器２０６であり、無線電力供給システム１０２を含むように製造される設備であり得る。無線電力供給システムを含むチャージを受信するロケーションは、無線チャージャーを含む駐車スペース又は道路部分を指定し、車両がそのロケーションにいるときチャージを行なうことができる。或いはまた、無線電力でバッテリーをチャージするというよりはむしろ、受信する無線電力によって車両は電力供給される。従量制である駐車地点は、スポットにまでいかない無線電力供給を含み、その結果、消費者はそのスポットで駐車するための支払いをし、車両は電力供給によってチャージされる。或いはまた、消費者はガレージ駐車地点で無線電力供給をインストールする。これにより、車両がガレージ内に駐車されておとき、車両のバッテリーがチャージされる。道路の部分（セクション）は無線チャージシステムを含む。よって、車両がその道路で故障したときは、バッテリーがチャージされる。言い換えると、車両がゾーン/スポットを渡るときには、車両をチャージする電力前記ゾーン又はスポットがある。車両はチャージされる電気カーである。或いは、キックスクーター又はセグウェイ（登録商標）もまた、無線電力システムによりチャージされる。
【００４３】
図１５は、無線電力の変換プロセスを示す。ブロック１５０２で、チャージのために機器を検出する。一実施例において、電力パワーシステムはチャージを求める機器から信号を受信する。一実施例において、機器が無線電力プロバイダーの近傍又は近接の中に入るとき、機器は無線電力を検出する。例えば、携帯電話を有する消費者は、無線電力プロバイダーとともにエリアに入り、そして携帯電話は無線電力を検出したり、又は無線電力プロバイダーは携帯電話の存在を検出する。ブロック１５０４で、機器は電力供給システムにより識別される。機器及び／又は消費者に関連したアカウントもまた識別される。各アカウントは１以上の機器を含む。機器及び／又はアカウントは、電力供給システムと機器との間の信号又は通信に基づき識別される。その通信はＳＭＳ又はｅメイルであったり、又はＲＦＩＤが識別のために用いられる。いったん機器及び／又はアカウントは識別されると、機器の無線チャージに関する課金が生じる（ブロック１５０６）。一例において、機器に関連したアカウントは無線チャージのための支払いに使用される前払い式の資金を含む。或いは、アカウントは、後述するブロック１５１４でのクレジットカードなどの、アカウントへ課金されたり、資金アカウントにチャージされるのに提供される無線電力の記録を含む。支払いが一旦確立されてしまうと、機器に電力が供給される（ブロック１５１０）。機器は無線電力の受領を確認する（ブロック１５１２）。例えば、機器は、配布及び／又は受信されるチャージ量に関して電力サプライヤーとやり取りする。上記確認は、サプライヤーが考える電力が配信されるということを機器が受信するということを確認するために必要である。上記確認は、機器のアカウントのチャージ/課金のために要求される。その他の場合には、機器が無線電力を受信しなかったり、又は別の機器がうっかりして無線電力を受信していたという可能性がある。
【００４４】
無線電力に関する支払い/課金は、電力が配られる前、その間、又はその後に行なわれる。ブロック１５１４で、事前の支払いが無かったとき、受信された電力に関するアカウントが課金される。支払いは電力が配られたとき、アカウントから差し引かれたり、５分間隔などといった時間間隔に応じておこなわれる。例えば、消費者は３回の５分間チャージを購入する。アカウントは、電力が配られる時間制御器の前で支払われる。時間が来る前に機器が取り除かれる場合、消費者は特別のチャージ時間を失うか、消費者のアカウントに付加されてしまう。あるいは、課金は受信される電力量についてのみなされる。別の例では、機器は予想していたよりも短い時間でフルチャージされる。支払いタイプに応じて、消費者は支払われた特別の時間を失ったり、その時間を戻してもらう。
【００４５】
一実施例において、無線電力は制限付き、又はユーザの何の指示もなく自動的に機器に移される。例えば、機器を有する消費者が無線チャージエリアに入ったとき、機器は自動的に無線電力を受信することを開始し、その後に機器又はアカウントが識別されて、そして支払いの形式が認証される。機器自体は無線チャージシステムに対して識別を有する。無線チャージエリアは、無線電力が利用可能であることを超えるという範囲を含む。機器が範囲内にあるとき、それは自動的に、完全にチャージされるまで電力を受信し、その時になると、電力を受信することをやめる。或いは、自動チャージは、機器が無線でチャージされるべきであるかどうかについて消費者からの確認を要求するようにしてもよい。例えば、ＳＭＳ通信/応答又は他の認証は、無線電力転送を開始する目的で、機器で又は無線電力のソース源で要求される。この機器は無線電力範囲内にあることを検出し、かつ、機器に対して無線電力を受信するか否かを消費者が判断するYes/Noオプションを提供する。また、認証は無線電力のやめに支払われなければならない価格を含む。
【００４６】
上述したシステム及びプロセスは、単体の記憶媒体、１以上の集積回路、１以上のプロセッサ若しくはコントローラやコンピュータによるプロセスなどの機器内にプログラムされるメモリなどのコンピュータ読み出し可能な記憶媒体にエンコードされる。そのデータはコンピュータシステム内で解析され、スペクトルを発生するのに用いられる。この方法がソフトウェアで実行される場合、そのソフトウェアは、送信器と通信する記憶デバイス、シンクロナイザー、通信インタフェース、又は揮発性若しくは不揮発性メモリに存在したりインタフェースするメモリに常駐する。回路又は電子デバイスは他のロケーションにデータを送るように設計される。メモリは論理的機能を実行する演算命令の順序づけられたリストを含む。ここで述べた論理機能又は任意のシステム要素は、光回路、デジタル回路を介して、ソースコードを介して、アナログ回路を介して、アナログ電流、音声、ビデオ信号又はそれらの組み合わせなどのアナログソースを介して実行される。ソフトウェアは、実行可能なシステム、装置又はデバイスとの接続又は使用のために、任意のコンピュータ読み出し可能な又は単体の記憶媒体に組み込まれている。そのようなシステムは、コンピュータベースのシステム、プロセッサ包含システム、命令を実行するシステム・装置・デバイスから選択的に命令をフェッチする別のシステムを含む。
【００４７】
「コンピュータ読み出し可能な記憶媒体」、「マシーン読み出し可能な記憶媒体」、「伝搬される信号」記憶媒体、「信号を記憶した記憶媒体」の少なくとも１つは、命令を実行するシステム・装置・デバイスによる使用のために、記憶・通信・伝搬・移送することを含む。マシーン読み出し可能な記憶媒体は、限定するものではないが、電気的、磁気的、光学的、電磁気的、赤外線の、半導体のシステム・装置・デバイス・伝搬記憶媒体の何れかである。マシーン読み出し可能な記憶媒体の例の完全なリストは、１以上の有線、ポータブル磁気若しくは光ディスク、ランダムアクセスメモリ「ＲＡＭ」、リードオンリーメモリ「ＲＯＭ」、消去可能プログラムリードオンリーメモリ「ＥＰＲＯＭ即ちフラッシュメモリ」、又は光ファイバーなどの揮発性メモリを有する、電気的接続の「エレクトロニック」を含む。また、ソフトウェアが画像として又は別のフォーマット（例えば、光学的スキャンを通じて）として電気的に記憶され、コンパイルされ、インタプリタされ、又は処理されるとき、マシーン読み出し可能な記憶媒体は、ソフトウェアがプリントされる有形の記憶媒体を含む。処理された記憶媒体は、コンピュータ及び／又はマシーンメモリ何に記憶される。
【００４８】
ここに記載した実施例は、様々な実施例の構成を全般的に理解することを提供することを意図している。これらの例は、ここで述べた構成又は方法を用いる装置及びシステムの要素や特徴すべてを完全に記載するものとして用いることを意図していない。当業者であれば、本開示により他の多くの実施例があることが理解できることは明らかである。他の実施例がこの開示から用いられ派生され、その結果、本開示の範囲から逸脱することなく、構造的及び論理的代替や変更が行なわれる。さらに、実施例は単なる典型例に過ぎず、スケールに注意が払われるものではない。例示の或る比率は誇張されていることもあり、一方で他の比率が最小化されていたりする。したがって、開示及び図面は制限例というよりも一例としてみなされる。
【００４９】
本開示の１以上の実施例は、ここでは、個々に及び／又は集合的に引用され、「発明」という用語は単に便宜上であって、本発明の範囲を特別な発明又は発明のコンセプトに自発的に制限することもない。さらに、詳細な実施例がここに示され記載されているのであるが、同じ又は類似の目的を実現するように設計された更なる調整が開示された詳細な実施例のために置き換えられ得ることを認識されたい。本開示は、任意の及び全ての更なる調整、又は様々な実施例のバリエーションをカバーするよう意図されている。上述した実施例の組み合わせ、及びここで特に述べなかった他の実施例は、本記載をみれば当業者であれば明らかである。
【００５０】
上述した発明の主題は例示としてみなされ、制限されるものではないし、特許請求の範囲はこのような修正、拡大、他の実施例のすべてをカバーすることを意図し、それらは本発明の正しい精神及び範囲内にあるものといえる。したがって、法律によって許される最大限の範囲で、本発明の範囲が特許請求の範囲及びその均等の解釈の上で最大限まで広げられるように解釈されることを決定し、詳細な説明によって制限されるべきではない。本発明の様々な実施例が記載される一方で、当業者であればより多くの実施例及び実装が本発明の範囲内で可能であることが明らかである。よって、本発明は特許請求の範囲及びその均等に照らして制限されるべきものではない。
【図１】
2015159720.tif 000003
【図２】
2015159720.tif 000004
【図３】
2015159720.tif 000005
【図４】
2015159720.tif 000006
【図５】
2015159720.tif 000007
【図６】
2015159720.tif 000008
【図８】
2015159720.tif 000009
【図９】
2015159720.tif 000010
【図１０】
2015159720.tif 000011
【図１１】
2015159720.tif 000012
【図１２】
2015159720.tif 000013
【図１３】
2015159720.tif 000014
【図１４】
2015159720.tif 000015
【図１５】
2015159720.tif 000016
【図７】
2015159720.tif 000017
【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
機器で無線電力を受信する方法であって、
前記機器が無線電力ソースの近くに存在するとき、前記無線電力ソースを自動的に検出し、
前記無線電力ソースが前記機器によって検出されたとき、前記機器の識別を前記無線電力ソースに自動的に提供し、
前記無線電力を受信したことに関する支払いの要求を受信し、
前記要求の受諾を提供し、
前記無線電力を前記機器で受信する、
ことを含む方法。
【請求項２】
前記識別は前記機器に関連するアカウント情報を含む、請求項１に記載の方法。
【請求項３】
前記アカウント情報は支払い方法を含む、請求項２に記載の方法。
【請求項４】
前記アカウント情報は暗号化されている、請求項２に記載の方法。
【請求項５】
前記要求の受諾は、ネットワーク上で送信される検証を含む、請求項１に記載の方法。
【請求項６】
前記検証は、インターネット上で送信されるユーザ識別を含む、請求項５に記載の方法。
【請求項７】
前記ユーザ識別はセキュリティ証明書を含む、請求項６に記載の方法。
【請求項８】
前記検証はｅメイルメッセージ又はテキストメッセージを含む、請求項５に記載の方法。
【請求項９】
受信した無線電力量を含む無線電力受信確認を提供し、
前記無線電力受信確認における無線電力量が、前記無線電力ソースから供給された無線電力と異なるとき、前記支払いを調整する、
ことを更に含む、請求項１に記載の方法。
【請求項１０】
前記無線電力の受信は、第２の機器によってモニタリングされている、請求項１に記載の方法。
【請求項１１】
電力所有者が前記無線電力ソースの電力を提供し、機器所有者が前記無線電力ソースをオペレートする、請求項１０に記載の方法。
【請求項１２】
前記電力所有者は前記支払いの少なくとも一部を受取り、前記機器所有者は前記支払いの少なくとも一部を受取る、請求項１１に記載の方法。
【請求項１３】
請求書情報及び無線充電を機器で受信する方法であって、
無線電力ソースを自動的に検出する処理であって、前記機器が所定の範囲内に存在するとき、前記機器は前記無線電力ソースを識別する当該処理と、
前記機器の識別を前記無線電力ソースへ提供する処理と、
前記無線電力ソースによる充電が課金するか否かを識別する処理であって、無料充電の場合、前記機器は無線充電を自動的に受信する当該処理と、
前記無線電力ソースによる充電が有料の場合、無線充電に関する請求書の通知を受信する処理と、
前記無線電力ソースによる充電が有料の場合、前記請求書の受諾を提供する処理と、
前記無線電力ソースによる充電が有料の場合で、前記請求書の受諾があると、前記無線充電を受信する処理と、
を含む方法。
【請求項１４】
前記無線電力ソースによる充電が有料の場合、無線充電に関する前記請求書の通知は暗号化されている、請求項１３に記載の方法。
【請求項１５】
前記請求書の受諾は、検証されると提供される、請求項１４に記載の方法。
【請求項１６】
前記検証は、インターネット上で送信されるユーザ識別を含む、請求項１５に記載の方法。
【請求項１７】
前記無線充電の受信は、第２の機器によってモニタリングされている、請求項１３に記載の方法。
【請求項１８】
電力所有者が前記無線電力ソースの電力を提供し、機器所有者が前記無線電力ソースをオペレートする、請求項１３に記載の方法。
【請求項１９】
前記電力所有者は前記支払いの少なくとも一部を受取り、前記機器所有者は前記支払いの少なくとも一部を受取る、請求項１８に記載の方法。
【請求項２０】
前記無線電力ソースの検出がされると、無線充電を受信するため確認要求を受信する処理と、
前記無線充電の受信に関する受諾を含む前記確認要求に対して返答を提供する処理と、
を更に含む、請求項１３に記載の方法。
【請求項２１】
前記確認要求はｅメイルメッセージを含み、前記返答は前記ｅメイルメッセージに対する返事を含む、請求項２０に記載の方法。
【請求項２２】
受信した無線電力量を含む無線電力受信確認を提供する処理と、
前記無線電力受信確認における無線電力量が、前記無線電力ソースから供給された無線充電と異なるとき、前記支払いを調整する処理と、
を更に含む、請求項１３に記載の方法。